(57)【特許請求の範囲】
【請求項１】
ベースと、前記ベースの前方に配置され入浴者の背もたれとなる背当てを備える背当て部と、前記背当て部の前方に配置され前記入浴者が着座自在な座席と、を有する入浴介護用座席であって、
前記ベースと前記背当て部の間に揺動自在に接続された第１のリンク機構と、
前記第１のリンク機構の下方に配置され、前記ベースと前記背当て部の間に伸縮及び揺動自在に接続された第２のリンク機構と、
前記座席を前記背当て部に対して揺動自在に接続する第３のリンク機構と、
を有し、
前記第１のリンク機構は、前記ベース及び前記背当て部にそれぞれ揺動自在に接続された第１のアームを備え、
前記第２のリンク機構は、前記ベースに揺動自在に接続された第２のアームと、前記第２のアーム及び前記背当て部にそれぞれ揺動自在に接続された第３のアームと、を備え、
前記第３のリンク機構は、前記背当て部に固定され及び前記座席に揺動自在に接続された第４のアームを備える、
ことを特徴とする入浴介護用座席。
【請求項２】
前記座席の底部にそれぞれ設けられ、浴槽底面上を摺動自在な、前後シートローラを有することを特徴とする請求項１記載の入浴介護用座席。
【請求項３】
前記第１のアームを前記背当て部に接続する軸を前記ベースに解除自在にロックする第１のロック機構と、
前記後シートローラを前記ベースに解除自在にロックする第２のロック機構と、
を有することを特徴とする請求項２記載の入浴介護用座席。
【請求項４】
前記ベースは、
浴槽上方から下方の所定位置まで昇降自在であり、及び、該所定位置で揺動自在な第１のベースと、
浴槽上方から前記所定位置までは、前記第１のベースと一体に昇降し、該所定位置よりも下方で該第１のベースと共に揺動自在であり、及び、該所定位置よりも下方で、該第１のベースから分離して昇降自在な第２のベースと、
を備える、ことを特徴とする請求項１〜３のいずれか一記載の入浴介護用座席。
【請求項５】
前記第１のリンク機構の前記ベースに対する節点と前記背当て部に対する節点間の距離に対して、前記第２のリンク機構の前記ベースに対する節点と前記背当て部に対する節点間の距離が長いことを特徴とする請求項１〜４のいずれか一記載の入浴介護用座席。
【発明の詳細な説明】
【技術分野】
【０００１】
本発明は、入浴介護用座席に関し、特に、手動操作可能な入浴介護用座席に関し、中でも、浴槽内ないし湯中で使用される入浴介護用座席に関する。
【背景技術】
【０００２】
入浴介護補助装置として、電気モータ又は油圧シリンダを駆動源とするものがある。しかしながら、入浴介護補助装置は、浴場に設置されるため、電気モータや油圧シリングは故障の原因となり易い。
【０００３】
そこで、本出願人は、特許文献１〜６において、ばね力を操作補助力として利用することにより、必要な操作力を軽減し、入浴者又は介護者が簡単に操作可能な入浴介護補助装置を提案している。これらの入浴介護補助装置によれば、入浴者が座席に着座した状態で、この座席が浴槽内に降下されることにより、入浴者は湯中に浸かることができる。
【０００４】
【特許文献１】特開２００７−１３０２２４号公報
【特許文献２】特開２００５−１１８１０５号公報
【特許文献３】特開２００４−７３６３３号公報
【特許文献４】特開２００２−３０１１２９号公報
【特許文献５】特開２００１−１７５０７号公報
【特許文献６】特開２００１−１６１７８０号公報
【発明の開示】
【発明が解決しようとする課題】
【０００５】
座席の昇降時、入浴者は、背中が直立している姿勢の方が安定する。しかし、湯中では、入浴者の背中が直立していると、浴槽の深さないし形状によっては、入浴者が肩まで十分に湯に浸かることが困難な場合がある。また、入浴中は、背中が直立した姿勢であるよりも、背当てによりかかって後方に傾いた姿勢である方が、入浴者は、よりリラックスすることができる。
【０００６】
本発明の目的は、簡素な構成を有し、座席に着座した入浴者が十分に湯に浸かることができる、入浴介護用座席を提供することである。
【課題を解決するための手段】
【０００７】
本発明は、第１の視点において、ベースと、前記ベースの前方に配置され入浴者の背もたれとなる背当てを備える背当て部と、前記背当て部の前方に配置され前記入浴者が着座自在な座席と、を有する入浴介護用座席であって、前記ベースと前記背当て部の間に揺動自在に接続された第１のリンク機構と、前記第１のリンク機構の下方に配置され、前記ベースと前記背当て部の間に伸縮及び揺動自在に接続された第２のリンク機構と、前記座席を前記背当て部に揺動自在に接続する第３のリンク機構と、を有し、前記第１のリンク機構は、前記ベース及び前記背当て部にそれぞれ揺動自在に接続された第１のアームを備え、前記第２のリンク機構は、前記ベースに揺動自在に接続された第２のアームと、前記第２のアーム及び前記背当て部にそれぞれ揺動自在に接続された第３のアームと、を備え、前記第３のリンク機構は、前記背当て部に固定され及び前記座席に揺動自在に接続された第４のアームを備えることを特徴とする入浴介護用座席を提供する。
【０００８】
本発明は、第２の視点において、ベースと、前記ベースの前方に配置され入浴者の背もたれとなる背当てを備える背当て部と、前記背当て部の前方に配置され前記入浴者が着座自在な座席と、を有する入浴介護用座席であって、前記ベースと前記背当て部の間に揺動自在に接続された第１のリンク機構と、前記第１のリンク機構の下方に配置され、前記ベースと前記背当て部の間に揺動自在に接続された第２のリンク機構と、前記座席を前記背当て部に対して揺動自在に接続する第３のリンク機構と、を有し、前記第１のリンク機構の前記ベースに対する節点と前記背当て部に対する節点間の距離に対して、前記第２のリンク機構の前記ベースに対する節点と前記背当て部に対する節点間の距離を長くし、前記第２のリンク機構は、前記ベースに揺動自在に接続され、前記背当て部に揺動及びスライド自在に接続された一本のアームを有する入浴介護用座席を提供する。
【発明の効果】
【０００９】
本発明の第１の視点によれば、ベースと背当て部の上方を揺動自在に第１のリンク機構を介して接続し、ベースと背当て部の下方を伸縮及び揺動自在に第２のリンク機構を介して接続することにより、第２のリンク機構のベースに対する節点と、第２のリンク機構の背当て部に対する節点との間の距離を可変することができる。これによって、入浴者が湯中に浸かる際、第１及び第２のリンク機構を揺動させ且つ第２のリンク機構を伸長させることにより、背当ての上方を後方に傾斜させ、背当ての前方ないし座席を前方に押し出すことができる。本発明の第２の視点に係る入浴介護用座席においても同様である。
【００１０】
また、本発明の第１の視点によれば、背当て部と座席を第３のリンク機構を介して相対的に揺動自在に接続することにより、背当て部が傾斜しても、座席が背当て部に対して揺動して、座席が浴槽底面に対して平行な状態が維持される。
本発明の第１の視点の形態において、前記第１のリンク機構は、前記ベース及び前記背当て部にそれぞれ揺動自在に接続された第１のアームを備え、前記第２のリンク機構は、前記ベースに揺動自在に接続された第２のアームと、前記第２のアーム及び前記背当て部にそれぞれ揺動自在に接続された第３のアームと、を備え、前記第３のリンク機構は、前記背当て部に固定され及び前記座席に揺動自在に接続された第４のアームを備えている。この形態によれば、リンク機構を簡素で頑健な構造にすることができる。また、この形態の第２のリンク機構においては、第２のアームと第３のアームが開閉動作することにより、第２のアームのベースに対する節点と、第３のアームの背当て部に対する節点との間の距離が可変して、第２のリンク機構が伸縮する。
【００１１】
以上より、本発明によれば、手動操作が容易な簡素な構成を有する所定のリンク機構によって、電気、油圧などの特別の駆動源に依存せず、手動操作により、座席に着座した入浴者を、リラックスした姿勢で十分に湯に浸からせることができる。
【発明を実施するための最良の形態】
【００１３】
本発明の好ましい実施の形態に係る入浴介護用座席は、前記座席の底部にそれぞれ設けられ、浴槽底面上を摺動自在な、前後シートローラを有する。この形態によれば、第１及び第２のリンク機構を操作して背当てを後方に傾ける際、座席を浴槽底面に沿って滑らかに前方へ移動させることができる。
【００１４】
本発明の好ましい実施の形態に係る入浴介護用座席は、前記第１のアームを前記背当て部に接続する軸を前記ベースに解除自在にロックする第１のロック機構と、前記後シートローラを前記ベースに解除自在にロックする第２のロック機構と、を有している。この形態によれば、入浴介護用座席を昇降させる際、背当て部及び座席をベースに対して、確実にロックしておくことができるため、安全性が向上される。
【００１５】
本発明の好ましい実施の形態において、前記ベースは、浴槽上方から下方の所定位置まで昇降自在であり、及び、該所定位置で揺動自在な第１のベースと、浴槽上方から前記所定位置までは、前記第１のベースと一体に昇降し、該所定位置よりも下方で該第１のベースと共に揺動自在であり、及び、該所定位置よりも下方で、該第１のベースから分離して昇降自在な第２のベースと、を備えている。この形態によれば、ベースを分割することにより、入浴介護用座席を昇降させる際、昇降ストロークを延伸させることができる。また、この形態によれば、ベースを分割して互いに揺動自在とすることにより、座席を傾斜している浴槽内壁に沿って昇降させることが容易となり、さらに、背当てに、より傾斜を付けることができる。さらに好ましくは、入浴介護用座席は、第１のベースを浴槽内壁に沿って案内する外ローラと、第２のベースを第１のベースに沿って案内する内ローラを有する。
【００１６】
本発明の好ましい実施の形態においては、ベースは、ワイヤ、チェーン又はベルト等の条によって吊り下げられ、昇降自在とされる。
【００１７】
本発明の好ましい実施の形態においては、前記第１のリンク機構の前記ベースに対する節点と前記背当て部に対する節点間の距離に対して、前記第２のリンク機構の前記ベースに対する節点と前記背当て部に対する節点間の距離が長い。
【実施例１】
【００１８】
以下、図面を参照して本発明の一実施例を説明する。図１（Ａ）〜図１（Ｃ）は、本発明の一実施例に係る入浴介護用座席の三面図である。図２は、図１（Ｃ）の拡大図である。図３は、図２の動作図である。
【００１９】
図１〜図３を参照すると、本発明の一実施例に係る入浴介護用座席は、ベース１と、ベース１の前方に配置され入浴者の背もたれとなる背当て２を備える背当て部３と、前記背当て部の前方に配置され前記入浴者が着座自在な座席４と、を有する入浴介護用座席であって、ベース１と背当て部３の間に揺動自在に接続された第１のリンク機構５と、第１のリンク機構５の下方に配置され、ベース１と背当て部３の間に伸縮及び揺動自在に接続された第２のリンク機構６と、座席４と背当て部３の間に揺動自在な接続された第３のリンク機構７と、を有している。
【００２０】
第１のリンク機構５は、ベース１及び背当て部３に、ピン１９，２０を介して、それぞれ揺動自在に接続された第１のアーム８を備えている。ピン１９は、第１のアーム８に形成された長穴１８に遊嵌されている。第２のリンク機構６は、ベース１にピン２１を介して揺動自在に接続された第２のアーム９と、第２のアーム９及び背当て部３に、ピン２２，２３を介して、それぞれ揺動自在に接続された第３のアーム１０と、を備えている。第３のリンク機構７は、背当て部３に固定され、座席４にピン３２を介して揺動自在に接続された第４のアーム１１を備えている。
【００２１】
座席４の底部にはそれぞれ、浴槽底面上を摺動自在な、前後シートローラ１２，１３が設けられている。
【００２２】
この入浴介護用座席は、さらに、第１のアーム８を背当て部３に接続する軸、すなわち、ピン２０をベース１の上フック部１６に解除自在にロックする第１のロック機構１６，２０と、後シートローラ１３、特に、その回動軸２４をベース１の下フック部１７に解除自在にロックする第２のロック機構１７，２４と、を有している。上下フック部１６，１７は、段状に形成されており、初期状態で、ピン２０及び回動軸２４がそれぞれ解除可能に係止される。
【００２３】
特に、図１（Ｂ）を参照すると、第１のロック機構１６，２０は、ピン２０又はアーム８に取り付けられた上操作棒２９によって操作される。第２のロック機構１７，２４は、第２のアーム９に取り付けられた下操作棒３０によって操作される。
【００２４】
特に、図２を参照すると、ベース１は、浴槽上方から下方の所定位置まで昇降自在であり、及び、該所定位置で揺動自在な第１のベース１ａと、浴槽上方から前記所定位置までは、第１のベース１ａと一体に昇降し、該所定位置よりも下方で第１のベース１ａと共に揺動自在であり、及び、該所定位置よりも下方で、第１のベース１ａから分離して昇降自在な第２のベース１ｂと、を備えている。
【００２５】
第２のベース１ｂは、昇降装置５０に、不図示のワイヤ等を介して昇降自在に懸架される。第１のベース１ａは、前記所定位置より上方では、第２のベース１ｂに係止されて一体に昇降し、該所定位置で昇降装置５０の静止部に対して係止されて第２のベース１ｂと分離自在となる。第１のベース１ａは、例えば、不図示のコロを介して前記静止部に係止されることにより、前記所定位置より下方で、第１及び第２のベース１ａ，１ｂが共に揺動自在となる。
【００２６】
以上説明した入浴介護用座席の動作を説明する。図４は、本発明の一実施例に係る入浴介護用座席の動作図である。図５は、図４に続く、本発明の一実施例に係る入浴介護用座席の動作図である。図６は、図５に続く、本発明の一実施例に係る入浴介護用座席の動作図である。
【００２７】
図４を参照すると、介護者が本発明の一実施例に係る入浴介護用座席に着座した入浴者を入浴させるとき、介護者は、第１のロック機構１６，２０及び第２のロック機構１７，２４がロック状態であることを確認した後、昇降装置５０を操作して、背当て２が直立した状態で、昇降装置５０に不図示のワイヤを介して懸架されている座席４等を浴槽内に向って降下させ、入浴者及び座席４等を湯中に浸漬させていく。降下中、前記所定位置で、第１のベース１ａは停止して第２のベース１ｂと分離し、第２のベース１ｂは引き続き降下していく。また、図４には明図していないが図３に示すように、前記所定位置よりも下方で、ベース１の降下中、外レールローラ２６が浴槽内壁と摺動することにより、第１及び第２のベース１ａ，１ｂは共に揺動して、背当て２が後方に向かって傾斜する。
【００２８】
前後シートローラ１２，１３が浴槽底面に着地すると、介護者は、図１（Ｂ）に示した下操作棒３０を前方に押して、回動軸２４を下フック部１７から外し、次に、上操作棒２９を持ち上げて、第１のアーム８を上方へ変位させることにより、ピン２０を上フック部１６から外して、第１及び第２のリンク機構５，６、さらに、第３のリンク機構７を動作可能な状態にする。
【００２９】
図５を参照すると、介護者が下操作棒３０を前方へ押すことにより、第１のリンク機構５の第１のアーム８、第２のリンク機構６の第２及び第３のアーム９，１０、及び第３のリンク機構７の第４のアーム１１は揺動する。同時に、第２のリンク機構６において、第２及び第３のアーム９，１０は閉じた状態から開いた状態になって、第２のアーム９のベース１に対する節点と、第３のアーム１０の背当て部３に対する節点との間の距離、すなわち、ピン２１，２３間の距離が可変して、第２のリンク機構６が伸長する。これによって、背当て２の上方は後方に傾斜していき、背当て２の前方ないし座席４は前方に押し出されていく。
【００３０】
このとき、座席４は、揺動自在な第３のリンク機構７を介して背当て部３に接続されているため、背当て部３が傾斜しても、座席４が背当て部３に対して相対的に揺動して、座席４が浴槽底面に対して平行な状態が維持され、前後シートローラ１２，１３が浴槽底面上を回動しながら、座席４は滑らかに前進する。
【００３１】
図６を参照すると、このようにして、入浴者は、後方に向かって傾斜した背当て２によりかかって後方に傾いた姿勢で、湯中に肩まで十分に浸かることができる。なお、座席４の前後方向ストロークの終点は、例えば、第１又は第２のリンク機構５，６のアーム８〜１０のいずれかに作用する不図示のストッパーによって設定することができる。
【００３２】
第１のリンク機構５のベース１に対する節点（ピン１９）と背当て部３に対する節点（ピン２０）の間の距離Ｒ１に対して、第２のリンク機構６のベース１に対する節点（ピン２１）と背当て部３に対する節点（ピン２３）の間の距離Ｒ２は長く設定され、十分に背当て２を倒すことができる。また、背当て部３と座席の角度Ｒ３は、距離Ｒ１，Ｒ２及び上記節点の位置によって設定され、例えば、図４に示した直角状態から、図６に示した約１２０度の範囲に設定される。なお、収容状態においては、座席４を折り畳み、背当て部３に近接した状態にしてもよい。
【００３３】
入浴者が浴槽から上がるときは、以上説明した動作と反対の動作が実行される。
【００３４】
図７は、本発明の他の実施例に係る入浴介護用座席の要部スケルトン図である。以下の本実施例の説明においては、主として前記実施例と本実施例の相違点について説明し、同様の構成及び動作については前記実施例を参照するものとする。図７を参照すると、第２のリンク機構６は、ベース１に揺動自在に接続され、且つ背当て部３に揺動及びスライド自在に接続された、一本のアーム（第２のアーム）３３を有している。一本のアーム３３の一端は、ピン２１を介してベース１に揺動自在に接続され、同他端は、ピン２３と、背当て部３に形成されピン２３が滑動自在に係合する長孔３ａと、を介して、背当て部３に揺動及びスライド自在に接続されている。なお、一本のアーム３３の場合、一方の節点がスライドすればよい。
【産業上の利用可能性】
【００３５】
本発明による入浴介護用座席は、特別の動力源を必要とせず、手動で操作することができるため、既設の浴室、例えば、一般家庭の浴室に好適に適用される。また、本発明の入浴介護用座席は、安価に製作することができ、操作が容易であり介護者の負担が軽減されるため、介護施設にも好適に適用される。
【図面の簡単な説明】
【００３６】
【図１】（Ａ）〜（Ｃ）は、本発明の一実施例に係る入浴介護用座席の三面図である。
【図２】図１（Ｃ）の拡大図である。
【図３】図２の動作図である。
【図４】本発明の一実施例に係る入浴介護用座席の動作図である。
【図５】図４に続く、本発明の一実施例に係る入浴介護用座席の動作図である。
【図６】図５に続く、本発明の一実施例に係る入浴介護用座席の動作図である。
【図７】本発明の他の実施例に係る入浴介護用座席の要部スケルトン図である。
【符号の説明】
【００３７】
１  ベース
１ａ  第１のベース（昇降台の外レール）
１ｂ  第２のベース（昇降台の内レール）
２  背当て
３  背当て部
３ａ  長孔
４  座席
５  第１のリンク機構
６  第２のリンク機構
７  第３のリンク機構
８  第１のアーム
９  第２のアーム
１０  第３のアーム
１１  第４のアーム
１２，１３  前後シートローラ
１６  上フック部
１７  下フック部
１８  長穴
１９  ピン
２０  ピン
２１  ピン
２２  ピン
２３  ピン
２４  後シートローラの回動軸
２６  外レールローラ
２７  内レール上ローラ
２８  内レール下ローラ
２９  上操作棒
３０  下操作棒
３２  ピン
３３  一本のアーム（第２のアーム）
５０  昇降装置
（１６，２０）  第１のロック機構
（１７，２４）  第２のロック機構
Ｒ１  第１のリンク機構の節点間距離
Ｒ２  第２のリンク機構の節点間距離
Ｒ３  背当て部と座席の角度
【図１】
0005074277.tif 000002
【図２】
0005074277.tif 000003
【図３】
0005074277.tif 000004
【図４】
0005074277.tif 000005
【図５】
0005074277.tif 000006
【図６】
0005074277.tif 000007
【図７】
0005074277.tif 000008